(57)【要約】【課題】低コストで且つ維持管理が簡易でありながらも、植物の高葉酸化を図ると共に、水耕栽培用養水の腐敗を抑制することの出来る水耕栽培用の養水成分調整器及びそれを用いた水耕栽培方法を提供することを目的とする。【解決手段】この目的を達成するため、成分調整剤を収容する容器を有し、当該容器表面の少なくとも一部に分画分子量が１５０００以下の透析膜を備えたことを特徴とする水耕栽培用の養水成分調整器を採用する。また、この水耕栽培用の養水成分調整器を水耕栽培用養水に浸漬して用いて植物を生育することを特徴とする水耕栽培方法を採用する。【選択図】図１
2018108035.tif 000002
【特許請求の範囲】
【請求項１】
成分調整剤を収容する容器を有し、
当該容器表面の少なくとも一部に分画分子量が１５０００以下の透析膜を備えたことを特徴とする水耕栽培用の養水成分調整器。
【請求項２】
前記成分調整剤は、少なくとも酵母を含む請求項１に記載の水耕栽培用の養水成分調整器。
【請求項３】
前記容器は、袋体又は箱体である請求項１又は請求項２のいずれかに記載の水耕栽培用の養水成分調整器。
【請求項４】
請求項１〜請求項３のいずれかに記載の養水成分調整器を水耕栽培用養水に浸漬して用いて植物を生育することを特徴とする水耕栽培方法。
【請求項５】
前記成分調整剤が酵母を含有し、植物の成熟期に前記養水成分調整器を水耕栽培用養水に浸漬する請求項４に記載の水耕栽培方法。
【請求項６】
水耕栽培用養水中の酵母濃度が０．０５ｗｔ％以上１０ｗｔ％以下となるように、前記容器に収容する酵母の量及び前記透析膜の表面積を調整する請求項５に記載の水耕栽培方法。
【発明の詳細な説明】
【技術分野】
【０００１】
本件発明は、水耕栽培用の養水成分調整器及びそれを用いた水耕栽培方法に関する。
【背景技術】
【０００２】
近年、人体の健康維持や改善を図る上で必要な葉酸等の機能性を持った栄養素が注目されている。この葉酸には、胎児の二分脊椎症予防認知症の予防、造血作用、脳の機能回復等様々な効能があるとされている。そして、葉酸の摂取量が少ないと、口腔の炎症、肌荒れ、疲労感等の症状が起こり、悪性貧血や動脈硬化を引き起こす恐れもある。そのため、葉酸は日常的に摂取することが好ましいが、日常食で必要十分な量の葉酸を摂取するにはレバー、鰻、野菜等の葉酸を含む食品を多量に摂取しなければならず、継続することが困難である。
【０００３】
そこで、日常において、葉酸を必要十分な量摂取するに際して最も手軽で簡単な方法としてサプリメントの利用が挙げられるが、人工的に作られたサプリメントの葉酸は、体内への吸収量が大きく、発癌や喘息発症のリスクが高くなることが知られている。よって、葉酸を摂取するにあたっては、サプリメントに依存するよりも普段の食事で摂取することが安全面及び栄養面を考慮すると望ましい。また、野菜等の食材中には、葉酸以外にもビタミンやミネラル等の人体に有効とされる成分が豊富に含まれており、総合的な栄養素の摂取が可能である。以上のことから、近年、食用植物に葉酸を高濃度で含有させる試みがなされている。
【０００４】
食用植物に葉酸を高濃度で含有させる手段としては、「遺伝子組み換え」、「肥料に対する葉酸粉の添加」、「品種改良による新しい種の創造」があるが、これらは健康面やコスト面等で何らかの問題がある。これをふまえ、本発明者は、以前に、栽培する植物の葉酸含有量を高めると共に、これらの問題が生じない植物栽培方法を見出している（特許文献１）。この植物栽培方法では、特に水耕栽培用の養水に酵母を含ませることで、栽培する植物の葉酸含有量を効果的に高めることが出来る。水耕栽培によれば、養水に酵母を含めることで、根が当該養水の中を自由に伸びて当該養水中の酵母成分を十分に吸収することが出来る。
【０００５】
ただし、水耕栽培用の養水に酵母を含ませた場合、当該酵母が当該養水の腐敗を促進してしまい、栽培する植物の根がダメージを受けたり、不快臭を発生するという問題が生ずる。このような問題に対して、例えば、水耕栽培において栽培ベッドから戻る養水を加熱して当該養水中に含まれる病原菌等の菌を殺菌したり（特許文献２）、水耕栽培用の養水中に電極を設け、電気を通して水を電気分解する（特許文献３）等の方法が存在する。
【先行技術文献】
【特許文献】
【０００６】
【特許文献１】特許第５７６３２８２号
【特許文献２】特開平３−１２７９１８号公報
【特許文献３】特開昭６２−２０５７２３号公報
【発明の概要】
【発明が解決しようとする課題】
【０００７】
しかし、特許文献２及び特許文献３に開示の方法では、設備コストの著しい増大を招いてしまう。また、これら特許文献２及び特許文献３に開示の方法は、維持管理に高度な技術を要し、一般消費者が行うには困難が伴う。更に、水耕栽培の規模が大きいと、特許文献３に開示の方法では、大量の水を処理することができず対応が困難である。
【０００８】
そこで本件発明では、上記の課題に鑑み、低コストで且つ維持管理が簡易でありながらも、植物の高葉酸化を図ると共に、水耕栽培用養水の腐敗を抑制することの出来る水耕栽培用の養水成分調整器、及びそれを用いた水耕栽培方法を提供することを目的とする。
【課題を解決するための手段】
【０００９】
本件発明に係る水耕栽培用の養水成分調整器：  本件発明に係る水耕栽培用の養水成分調整器は、成分調整剤を収容する容器を有し、当該容器表面の少なくとも一部に分画分子量が１５０００以下の透析膜を備えたことを特徴とする。
【００１０】
本件発明に係る水耕栽培方法：  本件発明に係る水耕栽培方法は、上述した水耕栽培用の養水成分調整器を水耕栽培用養水に浸漬して用いて植物を生育することを特徴とする。
【発明の効果】
【００１１】
本件発明に係る水耕栽培用の養水成分調整器及びそれを用いた水耕栽培方法によれば、低コストで且つ維持管理が簡易でありながらも、植物の高葉酸化を図ると共に、水耕栽培用養水の腐敗を抑制することが出来る。
【図面の簡単な説明】
【００１２】
【図１】本件発明の一実施形態としての水耕栽培用の養水成分調整器を示した図である。
【図２】本件発明の一実施形態における水耕栽培用の養水成分調整器を水耕栽培槽内に配置した状態を例示した図である。
【図３】酵母処理栽培及び酵母未処理栽培の葉酸平均含有量とレタス平均重量との関係を示したグラフである。
【発明を実施するための形態】
【００１３】
以下、本件発明に係る水耕栽培用の養水成分調整器、及びそれを用いた水耕栽培方法の一実施形態について説明する。
【００１４】
(水耕栽培槽）
本件発明に係る水耕栽培用の養水成分調整器について説明する前に、まずはこの養水成分調整器を配置する水耕栽培槽に関して簡単に示しておく。図２は、本件発明の一実施形態における水耕栽培用の養水成分調整器を水耕栽培槽内に配置した状態を例示した図である。
【００１５】
図２に示すように、本実施形態における水耕栽培槽１０は、植物２０を栽培するにあたって、植物２０に栄養成分を供給する養水１２を収容する。また、水耕栽培槽１０は、植物２０の根のみが養水１２に浸かるように植物２０を固定配置する栽培ベッド１１を備える。なお、図２には示されていないが、水耕栽培槽１０は、給水回路や排水路を別途備え、養水１２を循環させる構成としても良い。この給水回路は、給水タンク、ポンプ、フィルタユニット、開閉バルブ、及び給水源等を備えることが出来る。排水路は、水耕栽培槽１０でオーバーフローした養水１２を給水タンクへ戻すように形成することが出来る。
【００１６】
(水耕栽培用の養水成分調整器）
次に、本件発明に係る水耕栽培用の養水成分調整器１について説明する。図１は、本件発明の一実施形態としての水耕栽培用の養水成分調整器を示した図である。養水成分調整器１は、成分調整剤（不図示）を収容する容器２を構成に有する。以下に、本件発明に係る水耕栽培用の養水成分調整器１が構成として有する容器２、及びこの容器２に収容する成分調整剤に関して説明する。
【００１７】
＜容器＞
本件発明における容器２は、特定の物質を養水１２中に透過させて用いるものである。この容器１２内には、透過を目的とする物質が少なくとも含まれた成分調整剤を収容する。この容器１２は、少なくとも表面の一部分に分画分子量が１５０００以下の透析膜を備えている。図１には、容器２の全表面に分画分子量が１５０００以下の透析膜を備えた養水成分調整器１を示す。容器２は、これらの条件を満たすことで、水耕栽培槽１０に収容した養水１２中に浸漬配置したときに、養水１２を腐敗させる成分（多糖類、蛋白質等）を内部に留めておくことが出来る。すなわち、本件発明における容器２によれば、植物２０に含有させたい成分以外を容器２内に留め、養水１２の成分調整を可能にすると共に養水１２の腐敗の進行を遅らせることが出来る。仮に、容器２に備わる透過膜の分画分子量が１５０００を超えて、容器２から腐敗を促進する成分が養水１２中に放たれると、養水１２の腐敗に起因した不快臭が発生すると共に、養水１２の腐敗により植物２０の根がダメージを受けるため好ましくない。
【００１８】
なお、容器２に備わる透過膜の分画分子量は、１２０００以下であることが好ましく、１００００以下であることがより好ましく、８０００以下であることが更に好ましい。
【００１９】
以上に、本件発明における容器２に備わる透析膜の分画分子量について説明したが、栽培する植物２０の葉酸含有量を高める上においては、当該分画分子量が少なくとも４００以上あればよく、１３０以上あればより好ましい。これは、葉酸の分子量が約４４０であり、葉酸の前駆体であるパラアミノ安息香酸（ＰＡＢＡ）の分子量が約１３７であることによる。
【００２０】
また、本件発明における容器２は、その形状に関して、特に限定されないが、袋体又は箱体であることが利便性、汎用性に優れ、低コストを実現できるため好ましい。ここで、袋体は、チューブ状を含む。容器２がチューブ状である場合には、その両端を紐やクリップ等の締結具３を用いて閉口させることが出来る。
【００２１】
＜成分調整剤＞
本件発明における成分調整剤は、植物２０に含有させたい成分そのものや前駆物質を含むものであれば良く、特に制限されない。また、栽培する植物２０に葉酸を高濃度で含有させるには、当該成分調整剤に酵母を含有させることがより好ましい。ここでいう、「酵母」は、清酒酵母やビール酵母等の醸造用酵母、パン酵母、ワイン酵母、味噌醤油酵母等の一般的に食品や食品の製造に用いられる酵母であれば良く、特に制限されない。また、酵母は、その形態として、酵母菌体自体（培養物、乾燥物を含む。）の他に、酵母エキス（液状、粉末状等）を含むものであっても良い。ここで、酵母エキスとは、酵母の有用な成分を種々の方法（酵素分解、熱水抽出、自己消化等）により抽出し濃縮したものを言う。
【００２２】
〔水耕栽培方法〕
本件発明に係る水耕栽培方法は、上述した養水成分調整器１を用いたものである。以下に、当該水耕栽培方法について簡単に説明する。
【００２３】
本件発明に係る水耕栽培方法は、養水成分調整器１を水耕栽培用養水１２に浸漬して用いて植物２０を生育することを特徴とする。養水成分調整器１を用いることで、植物２０の状態に合わせて、容器２に収容する成分調整剤の量や当該成分調整剤に含める成分を適宜設定することが出来る。そのため、本件発明に係る水耕栽培方法によれば、植物２０の栄養不足を招いたり、養水１２中の栄養成分過多に伴うアオコの大量発生等の問題が生じるのを防ぐことが出来る。
【００２４】
また、養水成分調整器１は、当該成分調整剤として生物由来の資源を原料とする有機質肥料を用いた場合でも、水耕栽培用の養水１２を腐敗させる成分（多糖類、蛋白質等）を内部に留めておくことが出来る。そのため、本件発明に係る水耕栽培方法によれば、当該成分調整剤として有機質肥料を用いた場合でも、養水１２の腐敗に起因した不快臭の発生や、養水１２の腐敗により植物２０の根がダメージを受けるのを効果的に防ぐことが出来る。ここで、当該成分調整剤として有機質肥料を用いる場合には、当該有機質肥料を微生物（酵母や細菌）により、植物が吸収出来る形態にまで分解させる必要がある。そのため、当該有機質肥料には、微生物を含めたり、予め分解処理したものを用いる。従来の水耕栽培では、養水１２の中に有機物が存在すると、腐敗して上述したような様々な問題が生じることから、人体に悪影響を及ぼす恐れがあるとされる化学肥料が主に用いられてきた。しかしながら、本件発明に係る水耕栽培方法では、上述した問題が生じないため、化学肥料を用いなくても良い。
【００２５】
また、本件発明に係る水耕栽培方法は、栽培する植物２０に葉酸を高濃度で含有させる上において、上述した成分調整剤が酵母を含有し、植物の成熟期に養水成分調整器１を水耕栽培用養水１２に浸漬することが好ましい。酵母を含有した成分調整剤を用いた養水成分調整器１は、水耕栽培用の養水１２に浸漬する時期を栽培する植物２０の成熟期とすることで、植物２０の栽培効率を効果的に向上させることが可能となる。仮に、栽培する植物２０を成長が未熟な段階で、この養水成分調整器１を養水１２に浸けると、植物２０の弱体化を招き、却って生育の妨げとなる場合がある。
【００２６】
また、本件発明に係る水耕栽培方法は、水耕栽培用養水１２中の酵母濃度が０．０５ｗｔ％以上１０ｗｔ％以下となるように、容器２に収容する酵母の量及び透析膜の表面積を調整することが好ましい。本件発明に係る水耕栽培方法は、水耕栽培用の養水１２における酵母の濃度が０．０５ｗｔ％以上１０ｗｔ％以下であることで、栽培する植物２０の生育を阻害することなく、植物２０に対して酵母に含まれる葉酸をはじめとする様々な栄養成分を与えることができる。ここで、酵母の濃度が０．０５ｗｔ％未満の場合には、栽培する植物２０の葉酸含有量を十分に高めることが出来ない。また、酵母の濃度が１０ｗｔ％を超える場合には、栽培する植物２０に過剰に栄養成分が供給されて、植物２０の軟弱化を招いてしまう。
【００２７】
＜植物＞
本件発明に係る水耕栽培用の養水成分調整器１を用いて生育する植物２０としては、食用の野菜全般が主な対象となるが、特に限定されない。本件発明に係る水耕栽培用の養水成分調整器１及びそれを用いた水耕栽培方法によれば、養水１２の腐敗を防いで植物２０の成長を促進させるため、観賞用として育てる植物にも好適に用いることが出来る。
【００２８】
以上のことから、本件発明に係る水耕栽培用の養水成分調整器１を用いれば、誰もが手軽で簡単に植物２０の高葉酸化を図ることが出来る。また、本件発明に係る水耕栽培方法によれば、設備投資が不要で、ランニングコストを抑えつつ、安定した品質の植物２０を育てることが出来る。
【００２９】
以上に、本件発明に係る水耕栽培用の養水成分調整器、及びそれを用いた水耕栽培方法について説明したが、以下に本件発明の実施例を示し、本件発明をより詳細に説明する。なお、本件発明はこれらの例により何ら限定されるものではない。
【実施例】
【００３０】
以下に、本件発明の実施例について述べる。それに先立ち、本実施例において用いるレタスの水耕栽培を行った場合における、所望の重量に至るまでの日数確認を行った結果について述べる。
〈レタスの販売に値すると想定される重量に至るまでに要する栽培日数の確認〉
以下に示す実施例及び比較例で、レタスの水耕栽培を行った場合における「葉酸平均含有量」、及び「不快臭」の確認を行うに際して、まずはこれらの確認を行うのに必要となる栽培日数の条件を確認した。
【００３１】
本確認では、水耕栽培する植物としてフリルレタスを用いた。そして、水耕栽培に用いる養水は、ＯＡＴアグリオ株式会社製のＯＡＴハウス１号とＯＡＴハウス２号とをＡ処方にて混合して、ＥＣ値が２．０でｐＨが６．０となるように調整し、水温を１８℃に設定した。また、レタスを水耕栽培する環境条件は、気温が２１℃、湿度が６０〜８０％、照射光量（ＰＰＦＤ：光合成有効光量子束密度）が１２０μｍｏｌ・ｍ−２ｓ−１（昭和電工株式会社製ＬＥＤ素子）、照明時間が１６時間とした。
【００３２】
表１には、上述した条件で作成した養水に対し、酵母エキスを直接含有して当該養水中の酵母濃度を０．１５ｗｔ％とした場合（酵母処理栽培）と、酵母を含有しない場合（酵母未処理栽培）における、レタスの栽培日数とレタス平均重量との関係を示す。このレタスの栽培日数に関しては、酵母処理栽培は７日間の酵母処理を含むものとし、具体的には栽培日数が２７日の場合は播種から２１日目以降より７日間、栽培日数が３４日の場合は播種から２８日目以降より７日間、栽培日数が４０日の場合は播種から３４日目以降より７日間の酵母処理を行った。また、表１には、レタスの栽培日数に応じた当該レタスの葉酸含有量も参考として示す。表１に示す結果は、栽培したレタス３固体の平均値であり、新鮮重量（ＦＷ）に基づく値である。ここで、当該レタスに含まれる葉酸量の測定は、微生物定量法を用いて行った。
【００３３】
図３は、表１で得られた結果をグラフ化したものである。この図３より、酵母エキスを直接含有して当該養水中の酵母濃度を０．１５ｗｔ％とした場合（酵母処理栽培）には、酵母を含有しない場合（酵母未処理栽培）と異なり、レタスの重量が販売に値すると想定される重量（５０ｇ）付近において、葉酸値が高い状態を維持することが確認出来た。そして、図３より、上述した条件でレタスを栽培した場合には、レタスの重量が販売に値すると想定される重量（５０ｇ）となるのに、養水に酵母を含有するしないを問わず播種から４０日程度要することが確認出来た。よって、播種からの栽培日数に関して４０日を条件とする本件発明の実施例１及び実施例２について以下に述べる。
【００３４】
【表１】
2018108035.tif 000003
【実施例１】
【００３５】
上述した栽培日数の確認結果をふまえ、実施例１では、本件発明の養水成分調整器を用いてレタスの水耕栽培を行い、播種から４０日間経過後の当該レタスの葉酸含有量と水耕栽培用養水の不快臭の有無について確認を行った。
【００３６】
実施例１では、水耕栽培する植物としてフリルレタスを用いた。また、実施例１では、養水成分調整器を用いる前の水耕栽培用養水、及びレタスを水耕栽培する環境条件は上述した栽培日数の確認で示した条件と同じである。そのため、これらに関する説明は省略する。
【００３７】
実施例１では、上述した条件でレタスの栽培を行い、播種から４０日経過後の当該レタスの葉酸含有量を測定した。当該レタスに含まれる葉酸量の測定は、微生物定量法を用いて行った。また、実施例１では、本件発明の養水成分調整器を播種から３３日目以降より８日間水耕栽培用の養水中に浸漬した。ここで、当該養水成分調整器は、容器の透析膜に分画分子量が１４０００の透析用セルロースチューブ（ＳＥＫＩＳＵＩ  エーディア株式会社製  ＵＣ２７−３２−１００）を用い、当該容器中に養水の酵母濃度が０．１５ｗｔ％となる量の酵母エキスを収容した。
【００３８】
表２には、上述した条件で栽培したレタスの葉酸含有量と養水の不快臭の有無について確認を行った結果を示す。ここで、表２に示す葉酸平均含有量の結果は、レタス３固体の平均値であり、新鮮重量（ＦＷ）当たりの含量で示した。また、養水の不快臭の有無の確認は、５人のパネルによる官能評価を行い、不快な臭いがある場合を「×」とし、不快な臭いが無い場合を「○」として、５人のパネルによる評価を多数決で決定した。表２には、実施例１以外にも、比較例１，２の結果を併せて示す。
【００３９】
【表２】
2018108035.tif 000004
【実施例２】
【００４０】
実施例２では、実施例１と同様に、本件発明の養水成分調整器を用いてレタスの水耕栽培を行い、播種から４０日間経過後の当該レタスの葉酸含有量と水耕栽培用養水の不快臭の有無について確認を行った。
【００４１】
実施例２では、水耕栽培する植物としてロメインレタスを用いた。また、実施例２では、実施例１と同じ養水成分調整器を用い、容器中に養水の酵母濃度が０．２ｗｔ％となる量の酵母エキスを収容した以外は、実施例１と同じ条件で水耕栽培を行った。そのため、水耕栽培を行う条件等に関する説明は省略する。
【００４２】
表３には、上述した条件で栽培したレタスの葉酸含有量と養水の不快臭の有無について確認を行った結果を示す。ここで、表３に示す葉酸平均含有量の結果は、表２と同様に、レタス３固体の平均値であり、新鮮重量（ＦＷ）当たりの含量で示した。また、養水の不快臭の有無の確認に関しても、表２と同様に、５人のパネルによる官能評価を行い、不快な臭いがある場合を「×」とし、不快な臭いが無い場合を「○」として、５人のパネルによる評価を多数決で決定した。表３には、実施例２以外にも、比較例３，４の結果を併せて示す。
【００４３】
【表３】
2018108035.tif 000005
【比較例】
【００４４】
以下に、比較例１〜比較例４について述べる。
【００４５】
［比較例１］
比較例１では、実施例１との対比を行うため、本件発明の養水成分調整器を用いずにフリルレタスの水耕栽培を行ったときの、播種から４０日間経過後の当該レタスの葉酸含有量と水耕栽培用養水の不快臭の有無について確認を行った。この確認を行った結果を表２に示す。
【００４６】
比較例１では、播種から３３日目以降より８日間、水耕栽培用の養水に酵母エキスを直接含めて当該養水中の酵母濃度を０．１５ｗｔ％とした以外は、実施例１と同じ条件で水耕栽培を行った。そのため、水耕栽培を行う条件等に関する説明は省略する。
［比較例２］
比較例２では、比較例１と同様に、本件発明の養水成分調整器を用いずにフリルレタスの水耕栽培を行ったときの、播種から４０日間経過後の当該レタスの葉酸含有量と水耕栽培用養水の不快臭の有無について確認を行った。この確認を行った結果を表２に示す。
【００４７】
比較例２では、水耕栽培用の養水に酵母を含めないこととした以外は、実施例１と同じ条件で水耕栽培を行った。そのため、水耕栽培を行う条件等に関する説明は省略する。
【００４８】
［比較例３］
比較例３では、実施例２との対比を行うため、本件発明の養水成分調整器を用いずにロメインレタスの水耕栽培を行ったときの、播種から４０日間経過後の当該レタスの葉酸含有量と水耕栽培用養水の不快臭の有無について確認を行った。この確認を行った結果を表３に示す。
【００４９】
比較例３では、播種から３３日目以降より８日間、水耕栽培用の養水に酵母エキスを直接含めて当該養水中の酵母濃度を０．２ｗｔ％とした以外は、実施例２と同じ条件で水耕栽培を行った。そのため、水耕栽培を行う条件等に関する説明は省略する。
［比較例４］
比較例４では、比較例３と同様に、本件発明の養水成分調整器を用いずにロメインレタスの水耕栽培を行ったときの、播種から４０日間経過後の当該レタスの葉酸含有量と水耕栽培用養水の不快臭の有無について確認を行った。この確認を行った結果を表３に示す。
【００５０】
比較例４では、水耕栽培用の養水に酵母を含めないこととした以外は、実施例２と同じ条件で水耕栽培を行った。そのため、水耕栽培を行う条件等に関する説明は省略する。
【００５１】
［まとめ］
表１，２より、水耕栽培を行った植物は、水耕栽培用の養水に酵母を含ませるに際して、本件発明の養水成分調整器を用いた場合と、この養水に酵母を直接含めた場合とで、葉酸含有量に大きな差が生じないことが確認出来た。また、本件発明の養水成分調整器を用いた場合には、水耕栽培用の養水に酵母を含めない場合と同様に不快臭が発生しないことから、水耕栽培用養水の腐敗を抑制出来ることが確認出来た。この結果より、本件発明の養水成分調整器を用いることで、植物の高葉酸化に寄与する成分以外を容器内に留め、水耕栽培用の養水の成分を調整出来ることが理解出来る。
【産業上の利用可能性】
【００５２】
本件発明に係る水耕栽培用の養水成分調整器及びそれを用いた水耕栽培方法によれば、低コストで且つ維持管理が簡易でありながらも、植物の高葉酸化を図ると共に、水耕栽培用養水の腐敗を抑制することが出来るため、栽培の規模を問わず好適に採用することが出来る。また、本件発明に係る水耕栽培用の養水成分調整器及びそれを用いた水耕栽培方法を採用することで、植物工場で高品質の植物を安定して量産することが出来るようになるため、栄養価に富んだ植物を低価格で市場に提供することが可能となる。
【符号の説明】
【００５３】
１      養水成分調整器
２      容器
３      締結具（容器）
１０    水耕栽培槽
１１    栽培ベッド
１２    養水
２０    植物
【図１】
2018108035.tif 000006
【図２】
2018108035.tif 000007
【図３】
2018108035.tif 000008